(57)【要約】【課題】スライドノブの組み付け性を向上できる電気かみそりを提供する。【解決手段】刃部２を有する本体ケース１の外面に、本体ケース１の内部に設けたモーター４への通電をオン・オフするスライドノブ３３を設けている。スライドノブ３３は、ノブ本体３５と、ノブ本体３５の背面に固定される背面構造体３６とで構成されている。背面構造体３６に、スライドノブ３３をオフ位置においてスライド不能にロック保持するロック構造の弾性ロック腕４５と、スライドノブ３３をオフ位置、オン位置の各位置において位置保持する節度構造の弾性腕４６と、弾性ロック腕４５を弾性変形させてロック解除操作する解除ボタン４８と、スイッチ端子５０を装着するための端子装着部４７とが設けられている。【選択図】図８
2015131003.tif 000002
【特許請求の範囲】
【請求項１】
刃部（２）を有する本体ケース（１）の外面に、本体ケース（１）の内部に設けたモーター（４）への通電をオン・オフするスライドノブ（３３）が設けられており、
スライドノブ（３３）は、ノブ本体（３５）と、ノブ本体（３５）の背面に固定される背面構造体（３６）とで構成されており、
背面構造体（３６）に、スライドノブ（３３）をオフ位置においてスライド不能にロック保持するロック構造の弾性ロック腕（４５）と、スライドノブ（３３）をオフ位置、オン位置の各位置において位置保持する節度構造の弾性腕（４６）と、弾性ロック腕（４５）を弾性変形させてロック解除操作する解除ボタン（４８）と、スイッチ端子（５０）を装着するための端子装着部（４７）とが設けられていることを特徴とする電気かみそり。
【請求項２】
ノブ本体（３５）と背面構造体（３６）とが、背面構造体（３６）の周縁の複数個所に設けた固定部（Ｍ）で一体化されており、
背面構造体（３６）における弾性ロック腕（４５）と弾性腕（４６）の配置位置を、左右で対を為す固定部（Ｍ）を含む締結領域（Ｒ）で上下に区分していることを特徴とする請求項１に記載の電気かみそり。
【請求項３】
弾性腕（４６）が左右で対を為す固定部（Ｍ）を含む締結領域（Ｒ）の下方の一側に配置されており、
端子装着部（４７）が、弾性腕（４６）の側方に隣接し、かつ締結領域（Ｒ）に近接する状態で背面構造体（３６）に設けられていることを特徴とする請求項２に記載の電気かみそり。
【請求項４】
本体ケース（１）のケース壁に、端子装着部（４７）を往復スライド可能に案内する端子ガイド溝（５９）が形成されており、
端子ガイド溝（５９）の内面内方に配置した回路基板（７）に、端子装着部（４７）に固定したスイッチ端子（５０）で接続状態が切換えられる固定端子（５１）が設けられていることを特徴とする請求項１、２または３に記載の電気かみそり。
【請求項５】
端子装着部（４７）と対向するノブ本体（３５）の内面に、スイッチ端子（５０）の弾性に抗して端子装着部（４７）を受止める規制体（８５）が設けられていることを特徴とする請求項１から４のいずれかひとつに記載の電気かみそり。
【請求項６】
本体ケース（１）のケース壁に、スライドノブ（３３）を往復スライド自在に案内する複数のノブガイド溝（５７）が形成されており、
ノブ本体（３５）の内面に、前記ノブガイド溝（５７）で案内されるスライド突起（３８）が設けられており、
スライド突起（３８）の突端にノブガイド溝（５７）の溝内縁に係合して、スライドノブ（３３）を本体ケース（１）と連結する連結爪（３９）が形成されていることを特徴とする請求項１から５のいずれかひとつに記載の電気かみそり。
【請求項７】
スライドノブ（３３）にトリマーユニット（３）を備えており、
スライドノブ（３３）を往復スライドすることにより、トリマーユニット（３）の姿勢を切換え可能となっており、
トリマーユニット（３）は、揺動軸（２８）を介してスライドノブ（３３）と連結されて、その切刃部がスライドノブ（３３）の外面から突出する作動姿勢と、本体ケース（１）の外面に沿って格納される待機姿勢との間で起伏揺動できるようスライドノブ（３３）で支持されており、
スライドノブ（３３）およびトリマーユニット（３）と本体ケース（１）の対向面に、トリマーユニット（３）の姿勢を作動姿勢に切換える姿勢切換構造が設けられており、
姿勢切換構造が、トリマーユニット（３）に設けた受動片（７０）と、受動片（７０）のスライド軌跡に臨んで本体ケース（１）に設けた切換えカム体（６２）を含み、
スライドノブ（３３）がスライド操作される状態において、スライド移動する受動片（７０）を切換えカム体（６２）で受止めることにより、受動片（７０）を揺動軸（２８）の回りに回動操作して、トリマーユニット（３）を待機姿勢から作動姿勢に切換えることを特徴とする請求項１から６のいずれかひとつに記載の電気かみそり。
【請求項８】
トリマーユニット（３）と本体ケース（１）の対向面のそれぞれに、トリマー側ストッパー（７９）と本体側ストッパー（７８）とが設けられており、
トリマーユニット（３）が待機姿勢から作動姿勢に切換わるのに連動して、トリマー側ストッパー（７９）と本体側ストッパー（７８）とが互いに接当して、トリマーユニット（３）を作動姿勢に保持固定していることを特徴とする請求項７に記載の電気かみそり。
【請求項９】
本体ケース（１）のトリマーユニット（３）との対向面に、切換えカム体（６２）がトリマーユニット（３）へ向かって突設されており、
受動片（７０）が、スライドノブ（３３）に形成したスライド溝（４４）を介して本体ケース（１）の側へ突出しており、
スライドノブ（３３）がスライド操作される状態において、切換えカム体（６２）がスライド溝（４４）をスライド案内していることを特徴とする請求項７または８に記載の電気かみそり。
【請求項１０】
スライドノブ（３３）が、ノブ本体（３５）と、ノブ本体（３５）の背面に固定される背面構造体（３６）とで構成されており、
背面構造体（３６）にスライド溝（４４）が形成されていることを特徴とする請求項９に記載の電気かみそり。
【請求項１１】
トリマーユニット（３）と本体ケース（１）との間に、トリマーユニット（３）を作動姿勢から待機姿勢に復帰操作する姿勢復帰構造が設けられていることを特徴とする請求項７から１０のいずれかひとつに記載の電気かみそり。
【請求項１２】
姿勢復帰構造が、トリマーユニット（３）に設けた復帰受動片（７１）と、復帰受動片（７１）のスライド軌跡に臨んで本体ケース（１）に設けた復帰カム体（６１）を含み、
スライドノブ（３３）がスライド操作される状態において、スライド移動する復帰受動片（７１）を復帰カム体（６１）で受止めることにより、復帰受動片（７１）を揺動軸（２８）の回りに回動操作して、トリマーユニット（３）を作動姿勢から待機姿勢に切換えることを特徴とする請求項１１に記載の電気かみそり。
【請求項１３】
復帰受動片（７１）の外周面に連続してトリマー側規制部（８３）が設けられ、復帰カム体（６１）の外周面に連続して本体側規制部（８４）が設けられており、
トリマーユニット（３）が待機姿勢に格納された状態において、トリマー側規制部（８３）と本体側規制部（８４）とが互いに接当して、トリマーユニット（３）を待機姿勢に保持固定していることを特徴とする請求項１２に記載の電気かみそり。
【請求項１４】
トリマーユニット（３）が、固定刃（２１）および可動刃（２２）と、これら両者を支持するトリマーベース（２３）を備えており、
トリマーベース（２３）の左右方向の一側端に復帰受動片（７１）が設けられていることを特徴とする請求項１３に記載の電気かみそり。
【請求項１５】
トリマーベース（２３）の左右方向の一側端に受動片（７０）が設けてあり、トリマーベース（２３）の左右方向の他側端に復帰受動片（７１）が設けられていることを特徴とする請求項１４に記載の電気かみそり。
【請求項１６】
トリマーユニット（３）と対向する本体ケース（１）のケース壁に駆動開口（１８）が設けられて、往復動力をトリマーユニット（３）へ出力する駆動アーム（１６）が駆動開口（１８）に臨ませてあり、
スライドノブ（３３）は、ノブ本体（３５）と、ノブ本体（３５）の背面に固定される背面構造体（３６）とで構成されており、
トリマーユニット（３）を作動姿勢に切換えた状態において、駆動開口（１８）が背面構造体（３６）で覆われていることを特徴とする請求項７から１５のいずれかひとつに記載の電気かみそり。
【請求項１７】
切換えカム体（６２）の下側にガイド溝（６３）が設けられており、
トリマーユニット（３）から本体ケース（１）へ向かって突出した受動片（７０）の左右側面を、前記ガイド溝（６３）の溝側壁でスライド案内していることを特徴とする請求項７から１６のいずれかひとつに記載の電気かみそり。
【発明の詳細な説明】
【技術分野】
【０００１】
本発明は、刃部の駆動をオン・オフするスライド式のノブを備えた電気かみそりに関する。
【背景技術】
【０００２】
この種のノブを備えている電気かみそりは、例えば特許文献１に公知である。そこでは、前ケースの上部に配置したきわ剃刃を前ケースで起伏揺動可能に支持し、きわ剃刃の下方に配置したスイッチノブを上下にスライド操作して、きわ剃刃の姿勢を待機姿勢と作動姿勢とに切換えている。スイッチノブは、オフ位置と、オフ位置から上方へ一段押上げスライドされたオン位置と、オン位置からさらに押上げスライドされたきわ剃位置に切換えることができ、スイッチノブがオン位置からきわ剃位置へスライドする動作を利用して、きわ剃刃を待機姿勢から作動姿勢に切換えている。そのために、前ケースの内部にスイッチノブに同行スライドするスライド板と、スライド板の動作を受継いで揺動動作に変換するリンクバーと、リンクバーの揺動動作をきわ剃刃に伝える切換えレバーなどの中間伝動構造を設けている。スライド板には、ロック腕、ロック穴を含むロック構造と弾性爪を含む節度構造とが設けられている。
【先行技術文献】
【特許文献】
【０００３】
【特許文献１】特開２００７−１９５５８１号公報（段落番号００３０、００３１）
【発明の概要】
【発明が解決しようとする課題】
【０００４】
特許文献１のノブ構造によれば、スイッチノブとスライド板とが本体ケースを介して固定されている構成なので、スイッチノブとスライド板とが直接正対した状態で固定されていない。このため前後ケースの組み付け前にスイッチノブとスライド板を組み付けることはできるが、前後ケースの組み付け後にスイッチノブとスライド板を組み付けることはできない。また、特許文献１のきわ剃刃構造によれば、スイッチノブをオン位置からきわ剃位置へスライド移動した状態においてきわ剃刃を作動姿勢に切換えて、振動子の往復動力をきわ剃刃に伝動できる。しかし、スイッチノブの押上げ動作をリンクバーで揺動動作に変換したのち、リンクバーの下方揺動動作を切換えレバーできわ剃刃に伝えるので、中間伝動構造などの構成部品点数が多く、しかも各部品の組立に余分な手間が掛かるため、電気かみそりの全体コストが嵩む。また、構成部品点数が多い分だけ集積誤差の影響を受けやすく、稀にきわ剃刃の起伏動作がぎくしゃくすることがあった。
【０００５】
本発明の目的は、スライドノブの組み付け性を向上できる電気かみそりを提供することにある。
本発明の目的は、筒状に形成されたケース構造の段階でスライドノブを組み付け可能な電気かみそりを提供することにある。
本発明の目的は、リンクやレバーなどの中間伝動構造を使用する必要もなくトリマーユニットの姿勢を確実に切換えることができ、従ってトリマーユニットの姿勢切換構造を著しく単純化してコストを削減できる電気かみそりを提供することにある。
本発明の目的は、スライド動作を伝動するための中間伝動構造や連結構造を省略することができ、従って落下衝撃などを受けて連結部分が分離する余地がなく、トリマーユニットを常に円滑に起伏揺動できる電気かみそりを提供することにある。
【課題を解決するための手段】
【０００６】
本発明に係る電気かみそりは、刃部２を有する本体ケース１の外面に、本体ケース１の内部に設けたモーター４への通電をオン・オフするスライドノブ３３を設けている。スライドノブ３３は、ノブ本体３５と、ノブ本体３５の背面に直接正対する状態で固定される背面構造体３６とで構成されている。背面構造体３６に、スライドノブ３３をオフ位置においてスライド不能にロック保持するロック構造の弾性ロック腕４５と、スライドノブ３３をオフ位置、オン位置の各位置において位置保持する節度構造の弾性腕４６と、弾性ロック腕４５を弾性変形させてロック解除操作する解除ボタン４８と、スイッチ端子５０を装着するための端子装着部４７とが一体で設けられている。
【０００７】
ノブ本体３５と背面構造体３６とが、背面構造体３６の周縁の複数個所に設けた固定部Ｍで一体化されている。背面構造体３６における弾性ロック腕４５と弾性腕４６の配置位置を、左右で対を為す固定部Ｍを含む締結領域Ｒで上下に区分している。
【０００８】
弾性腕４６が左右で対を為す固定部Ｍを含む締結領域Ｒの下方の一側に配置されている。端子装着部４７が、弾性腕４６の側方に隣接し、かつ締結領域Ｒに近接する状態で背面構造体３６に設けられている。
【０００９】
本体ケース１のケース壁に、端子装着部４７を往復スライド可能に案内する端子ガイド溝５９が形成されている。端子ガイド溝５９の内面内方に配置した回路基板７に、端子装着部４７に固定したスイッチ端子５０で接続状態が切換えられる固定端子５１が設けられている。
【００１０】
端子装着部４７と対向するノブ本体３５の内面に、スイッチ端子５０の弾性に抗して端子装着部４７を受止める規制体８５が設けられている。
【００１１】
本体ケース１のケース壁に、スライドノブ３３を往復スライド自在に案内する複数のノブガイド溝５７が形成されている。ノブ本体３５の内面に前記ノブガイド溝５７で案内されるスライド突起３８が設けられている。スライド突起３８の突端にノブガイド溝５７の溝内縁に係合して、スライドノブ３３を本体ケース１と連結する連結爪３９が形成されている。
【００１２】
スライドノブ３３にトリマーユニット３を備えている。スライドノブ３３を往復スライドすることにより、トリマーユニット３の姿勢を切換え可能となっている。トリマーユニット３は揺動軸２８を介してスライドノブ３３と連結されて、その切刃部がスライドノブ３３の外面から突出する作動姿勢と、トリマーユニット３の全体が本体ケース１の外面に沿って格納される待機姿勢との間で起伏揺動できるようスライドノブ３３で支持されている。スライドノブ３３およびトリマーユニット３と本体ケース１の対向面に、トリマーユニット３の姿勢を作動姿勢に切換える姿勢切換構造が設けられている。姿勢切換構造が、トリマーユニット３に設けた受動片７０と、受動片７０のスライド軌跡に臨んで本体ケース１に設けた切換えカム体６２を含んで構成されている。スライドノブ３３がスライド操作される状態において、スライド移動する受動片７０を切換えカム体６２で受止めることにより、受動片７０を揺動軸２８の回りに回動操作して、トリマーユニット３を待機姿勢から作動姿勢に切換える。
【００１３】
トリマーユニット３と本体ケース１の対向面のそれぞれに、トリマー側ストッパー７９と本体側ストッパー７８とが設けられている。トリマーユニット３が待機姿勢から作動姿勢に切換わるのに連動して、トリマー側ストッパー７９と本体側ストッパー７８とが互いに接当して、トリマーユニット３を作動姿勢に保持固定している。
【００１４】
本体ケース１のトリマーユニット３との対向面に、切換えカム体６２がトリマーユニット３へ向かって突設されている。受動片７０が、スライドノブ３３に形成したスライド溝４４を介して本体ケース１の側へ突出している。スライドノブ３３がスライド操作される状態において、切換えカム体６２がスライド溝４４をスライド案内している。
【００１５】
スライドノブ３３が、ノブ本体３５と、ノブ本体３５の背面に固定される背面構造体３６とで構成されており、背面構造体３６にスライド溝４４が形成されている。
【００１６】
トリマーユニット３と本体ケース１との間に、トリマーユニット３を作動姿勢から待機姿勢に復帰操作する姿勢復帰構造が設けられている。
【００１７】
姿勢復帰構造が、トリマーユニット３に設けた復帰受動片７１と、復帰受動片７１のスライド軌跡に臨んで本体ケース１に設けた復帰カム体６１を含んで構成されている。スライドノブ３３がスライド操作される状態において、スライド移動する復帰受動片７１を復帰カム体６１で受止めることにより、復帰受動片７１を揺動軸２８の回りに回動操作して、トリマーユニット３を作動姿勢から待機姿勢に切換える（図１５（ｂ）参照）。
【００１８】
復帰受動片７１の外周面に連続してトリマー側規制部８３が設けられ、復帰カム体６１の外周面に連続して本体側規制部８４が設けられている。図１３に示すように、トリマーユニット３が待機姿勢に格納された状態において、トリマー側規制部８３と本体側規制部８４とが互いに接当して、トリマーユニット３を待機姿勢に保持固定している。
【００１９】
トリマーユニット３が、固定刃２１および可動刃２２と、これら両者を支持するトリマーベース２３を備えている。図５に示すように、トリマーベース２３の左右方向の一側端に復帰受動片７１が設けられている。
【００２０】
図５に示すように、トリマーベース２３の左右方向の一側端に受動片７０が設けてあり、トリマーベース２３の左右方向の他側端に復帰受動片７１が設けられている。
【００２１】
トリマーユニット３と対向する本体ケース１のケース壁に駆動開口１８が設けられて、往復動力をトリマーユニット３へ出力する駆動アーム１６が駆動開口１８に臨ませてある。スライドノブ３３は、ノブ本体３５と、ノブ本体３５の背面に固定される背面構造体３６とで構成されている。トリマーユニット３を作動姿勢に切換えた状態において、駆動開口１８が背面構造体３６で覆われている（図１０参照）。
【００２２】
切換えカム体６２の下側にガイド溝６３が設けられている。トリマーユニット３から本体ケース１へ向かって突出した受動片７０の左右側面を、前記ガイド溝６３の溝側壁でスライド案内している。
【発明の効果】
【００２３】
背面構造体３６に、ロック構造の弾性ロック腕４５と、節度構造の弾性腕４６と、弾性ロック腕４５用の解除ボタン４８と、スイッチ端子５０用の端子装着部４７を設けると、これらの構造を別途設ける場合に比べて、ロック構造および節度構造とその周辺構造がいたずらに複雑化するのを避けて、スライドノブ３３の内部構造を簡素化できる。また、弾性ロック腕４５、弾性腕４６、解除ボタン４８と端子装着部４７を背面構造体３６と一体に設けるので、部品点数が増加するのを解消して組立に要する手間を著しく省くことができる。さらに、ノブ本体３５の背面に直接正対する状態で背面構造体３６が固定されるので、ノブ本体３５と背面構造体３６との組み付け作業を的確に行うことができる。例えば、予めノブ本体３５と背面構造体３６とを組み付けユニット化しておき、最終段階の工程で本体ケースにスライドノブ３３を組み付けることが可能となり、全体の工程を通して組み付け性が良好となる。
【００２４】
背面構造体３６における弾性ロック腕４５と弾性腕４６の配置位置を、左右で対を為す固定部Ｍを含む締結領域Ｒで上下に区分すると、弾性ロック腕４５と弾性腕４６のいずれか一方が弾性変形するとき、他方が弾性変形の反力を受けてたわみ変形するのを、固定部Ｍを含む締結領域Ｒで遮断することができる。従って、弾性ロック腕４５がロック姿勢に切換わり、あるいは解除ボタン４８でロック解除操作される場合に、スライドノブ３３を確実にロック保持し、あるいはロック解除できる。このとき、弾性ロック腕４５が弾性するときの変形応力が弾性腕４６に影響して、スライド操作を円滑に行えない可能性があったが、先の変形応力が弾性腕４６に影響するのを、固定部Ｍを含む締結領域Ｒで遮断できる。また、弾性腕４６がスライドノブ３３の位置切換えに連動しながら弾性変形して、スライドノブ３３を各切換え位置に位置保持することができる。
【００２５】
締結領域Ｒの下方の一側に弾性腕４６を配置し、端子装着部４７を弾性腕４６の側方に隣接し、かつ締結領域Ｒに近接する状態で背面構造体３６に設けると、端子装着部４７のスライド後の位置を弾性腕４６で常に適正に位置決めできる。また、端子装着部４７を締結領域Ｒに近接する状態で配置するので、端子装着部４７を背面構造体３６の締結領域Ｒで強固に支持できる。従って、スライドノブ３３を上下にスライド操作してモーター4への通電状態を切換えるとき、端子装着部４７に固定したスイッチ端子５０によるスイッチの切換え動作を常に確実に行うことができる。
【００２６】
本体ケース１のケース壁に端子ガイド溝５９を設け、このガイド溝５９で端子装着部４７を往復スライド可能に案内すると、スライドノブ３３を上下にスライド操作するとき、端子装着部４７が左右方向へ揺れ動くのをガイド溝５９で規制できる。従って、端子装着部４７に固定したスイッチ端子５０と、端子ガイド溝５９の内面内方に配置した回路基板７上の固定端子５１との接触状態を常に適正なものとして、スイッチの切換え動作をさらに確実なものとすることができる。
【００２７】
端子装着部４７と対向するノブ本体３５の内面に規制体８５を設けると、スライドノブ３３を繰り返し上下スライドする際に、端子装着部４７がスイッチ端子５０の弾性力で押上げられて、端子装着部４７が回路基板７から徐々に離れるのを規制体８５で規制することができる。これにより、スイッチ端子５０と固定端子５１とが接触不慮に陥るのを解消して、スイッチ端子５０と固定端子５１の接触状態を常に適正なものとすることができる。
【００２８】
本体ケース１のケース壁に複数のノブガイド溝５７を形成し、ノブ本体３５の内面に先のノブガイド溝５７で案内されるスライド突起３８を設けると、スライドノブ３３が左右にぐら付くのを確実に防止しながら、スライドノブ３３を本体ケース１に沿って上下スライドできる。また、スライド突起３８の突端に設けた連結爪３９をノブガイド溝５７の溝内縁に係合することにより、本体ケース１に連結したスライドノブ３３が、本体ケース１から脱落するのを防止して、スライドノブ３３をノブガイド溝５７に沿って、確実に上下スライド操作することができる。
【００２９】
トリマーユニット３とスライドノブ３３を揺動軸２８を介して連結し、トリマーユニット３を作動姿勢と待機姿勢とに起伏揺動できるようスライドノブ３３で支持した。また、トリマーユニット３に設けた受動片７０と、受動片７０のスライド軌跡に臨んで本体ケース１に設けた切換えカム体６２などで姿勢切換構造を構成して、スライドノブ３３をスライド操作する状態において、スライド移動する受動片７０を切換えカム体６２で受止めて、受動片７０を揺動軸２８の回りに回動操作することにより、トリマーユニット３を待機姿勢から作動姿勢に切換えるようにした。このようにトリマーユニット３に設けた受動片７０を、本体ケース１に設けた切換えカム体６２で直接的に受止めて、トリマーユニット３を待機姿勢から作動姿勢に切換えるようにすると、リンクやレバーなどの中間伝動構造を使用する必要もなくトリマーユニットの姿勢を確実に切換えることができる。従ってトリマーユニットの姿勢切換構造を著しく単純化し、簡素化してコストを削減し、その分だけ低コストの電気かみそりを提供することができる。また、スライド移動する受動片７０を切換えカム体６２で直接的に受止めて、トリマーユニット３の姿勢を切換えるので、スライドノブ３３のスライド動作を伝動するための中間伝動構造や連結構造を省略することができる。従って、電気かみそりに落下衝撃などが作用するような場合でも、落下衝撃を受けて連結部分が分離する余地がなく、トリマーユニット３を常に円滑に起伏揺動できる、信頼性に優れた電気かみそりを提供することができる。
【００３０】
トリマーユニット３と本体ケース１の対向面に、トリマー側ストッパー７９と本体側ストッパー７８とを設け、トリマーユニット３が作動姿勢に切換わった状態において、前記両ストッパー７８・７９を互いに接当させると、作動姿勢に切換えられたトリマーユニット３の姿勢を、安定した状態で保持固定することができる。従って、ユーザーがスライドノブ３３をトリマー位置からオン位置側へスライド操作しない限りは、トリマーユニット３を作動姿勢に固定保持して、トリマー作業を安定した状態で行なうことが出来る。外力を受けたトリマーユニット３が待機姿勢の側へ復帰回動することもない。
【００３１】
本体ケース１のトリマーユニット３との対向面に切換えカム体６２を突設し、スライドノブ３３がスライド操作されるとき、切換えカム体６２でスライド溝４４をスライド案内すると、トリマーユニット３と切換えカム体６２の左右方向の位置関係を適正化できる。従って、姿勢切換え時のトリマーユニット３の回動を円滑に行える。
【００３２】
ノブ本体３５と背面カバー３６とでスライドノブ３３を構成すると、スライドノブ３３をスライド操作した状態において、本体ケース１の前面を背面カバー３６で覆い隠すことができる。従って、トリマーユニット３を使用する際に、本体ケース１に設けた駆動構造や姿勢切換え構造などが視認されるのを防いで、電気かみそりの外観上の体裁を向上することができる。また、背面カバー３６を利用してスライド溝４４を形成するので、スライドノブ３３のスライド動作を安定化できる。
【００３３】
トリマーユニット３と本体ケース１との間に姿勢復帰構造を設けると、スライドノブ３３をスライド操作することにより、トリマーユニット３を作動姿勢から待機姿勢に強制的に復帰操作することができる。従って、ユーザーは、単にスライドノブ３３をスライド操作するだけで、トリマーユニット３を待機姿勢に復帰回動させて、次回のトリマー作業に備えることができる。
【００３４】
トリマーユニット３に設けた復帰受動片７１と、本体ケース１に設けた復帰カム体６１とで姿勢復帰構造を構成すると、スライドノブ３３がスライド操作されるとき、復帰受動片７１を復帰カム体６１で直接的に受止めて、トリマーユニット３を作動姿勢から待機姿勢に切換えることができる。従って、リンクやレバーなどの中間伝動構造を使用する必要もなくトリマーユニット３の姿勢を姿勢復帰構造で確実に切換えることができ、さらに、中間伝動構造を省略する分だけ、姿勢切換構造を著しく単純化し簡素化してコストを削減できる。
【００３５】
姿勢復帰構造を備えた電気かみそりにおいて、復帰受動片７１と復帰カム体６１にトリマー側規制部８３と本体側規制部８４を設けると、トリマーユニット３が待機姿勢に格納された状態において、トリマー側規制部８３と本体側規制部８４とが互いに接当して、トリマーユニット３を待機姿勢に保持固定することができる。従って、ユーザーがスライドノブ３３をスライド操作しない限りは、トリマーユニット３を待機姿勢に固定保持して、トリマーユニット３の姿勢が不用意に作動姿勢に切換わるのを防止できる。トリマー側規制部８３と本体側規制部８４とが、機械的に互いに接当して、トリマーユニット３を待機姿勢に固定保持するので、トリマーユニット３がいたずらされ、あるいは落下衝撃がトリマーユニット３に作用するような場合であっても、トリマーユニット３を安定した状態で確実に待機姿勢に固定保持できる。また、復帰受動片７１の外周面に連続してトリマー側規制部８３が設けられ、復帰カム体６１の外周面に連続して本体側規制部８４が設けられていることにより、各規制部８３・８４をトリマーユニット３の他の部分に独立した構造として設ける場合に比べて、トリマーユニット３の構造を簡素化できる。
【００３６】
トリマーベース２３の左右方向の一側端に復帰受動片７１を設けると、固定刃２１および可動刃２２をトリマーベース２３に組付ける際に、復帰受動片７１が組付けの邪魔になるのを解消できる。従って、トリマーユニット３の組立に関する一連の作業を、より少ない手間で的確に行うことができる。
【００３７】
トリマーベース２３の左右方向の一側端に受動片７０を設け、トリマーベース２３の左右方向の他側端に復帰受動片７１を設けて、受動片７０と復帰受動片７１を分離配置すると、両受動片７０・７１を一個所に集約する場合に比べて、各受動片７０・７１およびその周辺構造を単純化できる。また、両受動片７０・７１の形成位置がトリマーベース２３の両側端に位置するので、固定刃２１や可動刃２２などのトリマー構成部品をトリマーベース２３に組付ける際に、受動片７０や復帰受動片７１が組付けの邪魔になることもなく、トリマーユニット３の一連の組立作業をより少ない手間で的確に行うことができる。
【００３８】
トリマーユニット３を作動姿勢に切換えた状態において、本体ケース１のケース壁に開口した駆動開口１８を背面構造体３６で覆うようにすると、トリマー作業中に切断された毛屑が駆動開口１８から本体ケース１の内部に入込むのをよく防止して、毛屑の進入に伴う衛生状態の悪化や、進入した毛屑が可動部分に付着して作動不良に陥るのを良く防止できる。また、駆動開口１８を介して本体ケース１の内部が視認されるのを防止して、使用状態における外観上の体裁を向上することができる。
【００３９】
切換えカム体６２の下側にガイド溝６３を設け、本体ケース１へ向かって突出した受動片７０の左右側面を、前記ガイド溝６３の溝側壁でスライド案内すると、スライドノブ３３が上下スライドするとき、受動片７０のスライド軌跡が左右に変動するのをガイド溝６３で規制できる。従って、受動片７０を切換えカム体６２のカム面７２に適正に正対させて、トリマーユニット３の姿勢切換えをさらに的確に行うことができる。また、切換えカム体６２の下側に形成したガイド溝６３で受動片７０をスライド案内するので、ガイドリブなどのガイド構造を別途設ける場合に比べて、構造を簡素化できる。
【図面の簡単な説明】
【００４０】
【図１】本発明に係るトリマーユニットの姿勢切換構造を示す縦断側面図である。
【図２】本発明に係る電気かみそりの正面図である。
【図３】本発明に係る電気かみそりの側面図である。
【図４】動力伝動構造を示す断面図である。
【図５】トリマーユニットの分解斜視図である。
【図６】図１におけるＡ−Ａ線断面図である。
【図７】スライドノブおよび前ケースの分解斜視図である。
【図８】前ケースの正面図とスライドノブの背面図である。
【図９】トリマーユニットとスライドノブの縦断側面図である。
【図１０】トリマーユニットを作動姿勢にした状態の縦断側面図である。
【図１１】スイッチ構造を示す縦断側面図である。
【図１２】スライドノブを前ケースに組付けた状態の縦断正面図である。
【図１３】トリマーユニットの姿勢復帰構造を示す縦断側面図である。
【図１４】待機姿勢のトリマーユニットを示す縦断側面図である。
【図１５】姿勢切換え途中のトリマーユニットを示す側面図である。
【図１６】スライドノブをオフ位置、オン位置、トリマー位置に切換えた状態を示す電気かみそりの一部破断正面図である。
【図１７】姿勢切換構造の一部を変更した別実施例を示す側面図である。
【図１８】姿勢復帰構造の一部を変更した別実施例を示す縦断側面図である。
【発明を実施するための形態】
【００４１】
（実施例）  図１ないし図１６は、本発明に係る電気かみそりの実施例を示す。本発明における前後、左右、上下とは、図２および図３に示す交差矢印と、各矢印の近傍に表記した前後、左右、上下の表示に従う。図２および図３において電気かみそりは、グリップを兼ねる本体ケース１と、本体ケース１の上部のヘッド部に設けられる刃部２と、本体ケース１の前面上部に設けられるトリマーユニット３と、これら両者を駆動するために本体ケース１の内部に配置されるモーター４および２次電池５などで構成する。
【００４２】
本体ケース１は、前後に２分割された前ケース１ａと後ケース１ｂとからなり、これら両ケース１ａ・１ｂを蓋合わせ状に接合し、４個のビスで締結することにより中空ケース状に構成されている。本体ケース１の内部には、モーター４を支持するモーターホルダー６（図４参照）や、充電用のソケットを接続するためのプラグホルダーが収容されて、前後ケース１ａ・１ｂで挟み固定してある。図２、図３において符号７は回路基板、８は充電用のプラグピンであり、回路基板７には電気かみそりの運転状態を制御する制御回路が実装してある。
【００４３】
図４に示すように刃部２は、スリット刃からなる内刃１０と網刃からなる外刃１１とで構成されて、主に短いひげを切断する際に使用される。外刃１１は外刃ホルダー１２でアーチ状に保形してある。モーター４の回転動力は偏心カム１３と振動子１４で往復動力に変換され、振動子１４の上面に設けた駆動軸１５を介して内刃１０に伝動される。また、変換後の往復動力は、振動子１４の前面に設けた駆動アーム１６を介してトリマーユニット３に伝動することができる。駆動軸１５は本体ケース１の上開口から上方へ突出しており、本体ケース１に装着したパッキン（図示していない）で、駆動軸１５と上開口との間の隙間をシールしている。図９に示すように、駆動アーム１６は前ケースの上部に開口した駆動開口１８に臨ませてある。外刃ホルダー１２は、本体ケース１の側面内部に組み込んだ一対のロック爪（図示していない）でロック保持してあり、ロック爪と一体に設けた取外しボタン１９（図２参照）を押込み操作すると本体ケース１から取外すことができる。先のヘッド部は、刃部２と、外刃ホルダー１２と、外刃ホルダー１２を支持するために本体ケース１の上部に設けられるホルダーフレームと、振動子１４などで構成してある。ヘッド部は、本体ケース１に対して上下、左右、前後の少なくともひとつの方向へ移動できるよう支持することができ、その場合には、ヘッド部と本体ケース１との間に設けたヘッド部移動構造でヘッド部を支持するとよい。
【００４４】
図５において、トリマーユニット３は固定刃２１および可動刃２２と、これら両者２１２２を支持するトリマーベース２３と、可動刃２２に溶着固定される可動刃ホルダー２４と、可動刃２２および可動刃ホルダー２４を押え保持する押え枠２５などで構成する。固定刃２１および可動刃２２のそれぞれの先端には櫛状の切刃部（図５参照）を有しており、可動刃２２を往復駆動することにより毛を切断できる。トリマーユニット３は、きわ剃りの際に使用し、あるいはくせ毛を切断するなど、主に長毛を切断するトリマーとして使用する。トリマーベース２３は、左右横長のホルダー壁２６と、ホルダー壁２６の背面両側に設けた左右一対の補強リブ２７と、補強リブ２７の外側面の上部に突設した揺動軸２８を一体に備えている。上述したように固定刃２１および可動刃２２はそれぞれ櫛歯で構成してあって、両者２１・２２の切刃部が下向きになる状態でトリマーベース２３に組付けられる。詳しくは、固定刃２１はトリマーベース２３の内面に係合装着され、その両側のＵ字状の係合部分がトリマーベース２３に設けた突起で溶着固定される。また、可動刃２２は固定刃２１と密着するように組付けられて、トリマーベース２３に組付けた押え枠２５の一対のばね腕２９で、可動刃ホルダー２４を介して固定刃２１に向かって押付け付勢される。この状態の可動刃２２および可動刃ホルダー２４は、トリマーベース２３に設けたガイドピン３０で左右スライドのみ可能に案内支持されている。可動刃ホルダー２４の上部中央には受動ピース２４ａが突設してあり、図１に示すように、受動ピース２４ａが先の駆動アーム１６の前端に設けた駆動アーム１６ａと係合することにより、駆動アーム１６の往復動力を受継ぐことができる。
【００４５】
本体ケース１の前面には、本体ケース１に対して上下スライドする盾形のスライドノブ３３が組付けてあり、スライドノブ３３の上部の格納部３４にトリマーユニット３が収容してある。スライドノブ３３は前側のノブ本体３５と、ノブ本体３５の背面を覆う背面カバー（背面構造体）３６とで構成してある。背面カバー（背面構造体）３６は、ノブ本体３５と本体ケース１との間に配置されて、ノブ本体３５の内面に固定してある。図７においてノブ本体３５には、格納部３４の前開口が開口してあり、その下方に指掛け凹部３７が凹み形成してある。また、ノブ本体３５の内面側にはスライド脚（スライド突起）３８が指掛け凹部３７の周辺４個所に突設されて、その突端に連結爪３９が設けてある。先の前開口の内面の左右縁の上部には、トリマーユニット３の揺動軸２８を軸支する軸受溝４０が、背面カバー（背面構造体）３６に向かって開口する状態でＵ字溝状に形成してある。ノブ本体３５の内面の上縁左右と、格納部３４の前開口の下縁左右と、指掛け凹部３７の下部左右の合計６個所には、背面カバー（背面構造体）３６を溶着固定するための溶着ピン４１が形成してある。
【００４６】
背面カバー（背面構造体）３６は、Ｔ字状のパネルからなり、上半側のパネル面の中央にトリマーユニット３との緩衝を避ける笠状のトリマー開口４３を形成し、その左右両側にスライド溝４４が形成してある。スライド溝４４は後述する切換えカム体６２と係合しており、スライドノブ３３がスライド操作される状態において、切換えカム体６２がスライド溝４４をスライド案内する。このように、スライド溝４４を切換えカム体６２でスライド案内することにより、トリマーユニット３と切換えカム体６２の左右方向の位置関係を適正化できるので、姿勢切換え時のトリマーユニット３の回動を円滑に行える。下半側のパネル面には、ロック構造の弾性ロック腕４５が設けられ、その下方の左右に節度構造の弾性腕４６と、縦長長方形状の端子装着部４７が設けてある。上半側のパネル面の上縁の左右と、下半側のパネル面の上下縁の左右には、それぞれ先の溶着ピン４１に対応するピン穴が形成してある。左右一対の弾性ロック腕４５の前後には、ロック構造をロック解除操作する横一文字状の解除ボタン４８と、ロック爪４９（図９参照）が一体に設けてある。ロック構造および節度構造を構成する上記の各部材の詳細については、本体ケース１側の部材と対応する関係にあるので改めて説明する。端子装着部４７の背面側には、弾性変形可能なスイッチ端子５０が固定してある（図１１参照）。また、本体ケース１の内部に設けた回路基板７には、スイッチ端子５０で接続状態が切換えられる固定端子５１が、上下に分離した状態で設けてある。
【００４７】
トリマーユニット３をノブ本体３５の格納部３４の背面側から組んでその揺動軸２８を軸受溝４０に係合し、さらに、背面カバー（背面構造体）３６をノブ本体３５の背面側から組んで、解除ボタン４８を指掛け凹部３７のボタン開口に差込み装着し、さらにピン穴を溶着ピン４１に係合することにより、背面カバー（背面構造体）３６をノブ本体３５に仮組みできる。この状態で、各溶着ピン４１のピン端を溶着することにより、トリマーユニット３とノブ本体３５と背面カバー（背面構造体）３６の３者を一体化できる。図８に溶着後の溶着部（固定部）を符号Ｍで示している。固定部Ｍは、溶着構造以外に、ビスなどによる締結構造や、嵌合構造などであってもよい。図８に示すように、ノブ本体３５の背面に固定される背面カバー（背面構造体）３６の上半側はトリマーユニット３を背面から覆っている。また、背面カバー（背面構造体）３６の上半側は略長方形となっており、その上辺、および左右辺の３方の外側面が、ノブ本体３５の周囲に後方に向けて突設されたリブ３５ａの内側面で支持されている。すなわち、ノブ本体３５と背面カバー（背面構造体）３６とは、両者の固定部以外に、少なくとも側面の一部分において互いが接触する接触部を有している。これにより、ノブ本体３５と背面カバー（背面構造体）３６とが互いに補強しあって構造強度を向上できる。さらに、ノブ本体３５の背面に直接正対する状態で背面カバー（背面構造体）３６が固定されるので、ノブ本体３５と背面構造体３６との組み付け作業を的確に行うことができる。例えば、予めノブ本体３５と背面構造体３６とを組み付けユニット化（本実施例では、トリマーユニット３とノブ本体３５と背面カバー（背面構造体）３６の３者を一体化してユニット化している）しておき、前後ケース１ａ・１ｂの組み付け後、或いは最終段階の工程で中空ケース状の本体ケース１にスライドノブ３３を組み付けることが可能となり、全体の工程を通して組み付け性が良好となる。上述のように、中空ケースの状態でスライドノブ３３の組み付けが可能となるのは、後述するように、スライドノブ３３に設けたスライド脚３８を本体ケース１に設けたノブガイド溝５７に差込み係合して、スライドノブ３３が本体ケース１から分離するのを阻止しているからである。なお、ノブ本体３５の背面に直接正対する状態で固定される背面構造体３６となっているが、この場合、背面構造体３６はトリマーユニット３を覆う部分を除いた意味であることは言うまでもない。
【００４８】
先に説明したように、背面カバー（背面構造体）３６の下半側には、ロック構造の弾性ロック腕４５と、節度構造の弾性腕４６とが上下に隣接する状態で配置してある。そのため、弾性ロック腕４５と弾性腕４６のいずれか一方が弾性変形するとき、他方が変形応力を受けてたわみ変形するおそれがある。こうした変形応力に伴う変形を避けるために、図８に示すように上記の溶着部Ｍのうち、左右で対を為す最下段の溶着部Ｍを含む締結領域Ｒで、弾性ロック腕４５の配置位置と、弾性腕４６の配置位置を上下に区分している。締結領域Ｒとは、先の溶着部Ｍを含み、背面カバー（背面構造体）３６の下半側の面壁の一側から他側にわたる領域を意味している。弾性腕４６と端子装着部４７とは、締結領域Ｒより下側に配置されて左右に隣接している。
【００４９】
上記の組付け状態において、揺動軸２８が軸受溝４０から脱落するのを防止するために、背面カバー（背面構造体）３６の上半側パネル面の左右側縁に蓋部５２を設けて、図１に示すように軸受溝４０の開口を蓋部５２で塞いでいる。蓋部５２には小さな突起５３が設けてあり、この突起５３が軸受溝４０の内部に入込んで揺動軸２８の周面を受止めることにより、トリマーユニット３が回動するときに揺動軸２８ががた付くのを規制している。組付け状態における解除ボタン４８は、図９に示すようにボタン開口から指掛け凹部３７の内面に突出している。背面カバー（背面構造体）３６はその上半側が略四角形状となってノブ本体３５の上部背面を覆う構成となっているが、その必要はなく、スライドノブ３３の下半部において、スライドノブ３３をオフ位置においてスライド不能にロック保持するロック構造の弾性ロック腕４５と、スライドノブ３３をオフ位置、オン位置の各位置において位置保持する節度構造の弾性腕４６と、弾性ロック腕４５を弾性変形させてロック解除操作する解除ボタン４８と、スイッチ端子５０を装着するための端子装着部４７とを一体に設けたカバー機能を有しない背面構造体３６であってもよい。
【００５０】
スライドノブ３３は、刃部２を駆動するモーター４への通電をオン・オフするスイッチノブを兼ねており、前ケース１ａに組付けた状態において、下段のオフ位置と、オフ位置より上側のオン位置と、オン位置より上側のトリマー位置とにスライド移動でき、オン位置とトリマー位置の双方において、モーター４への通電をオン状態に保持できる。このように、スライドノブ３３を本体ケース１で上下スライド自在に支持するために、前ケース１ａの前壁にスライドノブ３３と同形のスライド凹部５６を設け、その上下中途部の４個所に縦長のノブガイド溝５７を開口し、これらの溝５７でノブ本体３５に設けたスライド脚３８を上下スライド自在に案内している。スライド脚３８をノブガイド溝５７に差込み係合して、スライドノブ３３を本体ケース１に組付けた状態では、連結爪３９がノブガイド溝５７の背面側の溝側縁に係合して、スライドノブ３３が本体ケース１から分離するのを阻止している（図１４参照）。なお、スライド脚３８と連結爪３９を本体ケース１側に設け、それに対応するノブガイド溝５７をスライドノブ３３側に設けた構成であってもよい。要するにスライドノブ３３と本体ケース１とが差し込み係合構造であれば、中空ケースの状態でスライドノブ３３の組み付けが可能となるので、その構造が好ましい。
【００５１】
下側で左右対を為すノブガイド溝５７の間には、ロック爪４９の上下スライドを許す爪ガイド溝５８と、端子装着部４７の上下スライドを許す端子ガイド溝５９とが開口され、端子ガイド溝５９の側方に隣接して瓢箪形の節度突起６０が形成してある。スライド凹部５６の上部には先に説明した駆動開口１８が開口され、その左右に復帰カム体６１と切換えカム体６２が形成され、切換えカム体６２の下側に受動片７０をスライド案内するガイド溝６３が形成してある。図１３に示すように、復帰カム体６１は、前方へ向かって下り傾斜する緩やかな傾斜面からなり、前ケース１ａの上隅に形成した凹部の底壁に形成してある。
【００５２】
上記のように、スライドノブ３３をオフ位置、オン位置、およびトリマー位置の各位置において位置保持するために、背面カバー（背面構造体）３６と前ケース１ａの対向面に節度構造を設けている。また、スライドノブ３３をオフ位置においてスライド不能にロック保持するために、背面カバー（背面構造体）３６と前ケース１ａとの間にロック構造を設けている。
【００５３】
節度構造は、背面カバー（背面構造体）３６の最下部に設けた左右一対の弾性腕４６と、前ケース１ａに形成した逆瓢箪形の節度突起６０とで構成してあり、一対の弾性腕４６の下部対向面には節度爪６６が形成してある。節度突起６０の長軸方向は本体ケース１の長軸方向（上下方向）と一致させている。スライドノブ３３が上下スライドするとき、節度爪６６は一対の弾性腕４６が拡開状に弾性変形しながら節度突起６０の円筒部を乗越えており、オフ位置における節度爪６６は、図１２、および図１６（ａ）に示すように、節度突起６０の下側の円筒部の下周面で受止められている。また、オン位置における節度爪６６は、図１６（ｂ）に示すように、節度突起６０の上下の円筒部の間のくびれ部で受止められており、トリマー位置における節度爪６６は、図１６（ｃ）に示すように、節度突起６０の上側の円筒部の上周面で受止められている。
【００５４】
節度突起６０は、大小２つの円筒体を上下にオーバーラップした状態で隣接させて逆瓢箪形を成すものであり、一対の弾性腕４６が下方側の小さい円筒部を乗り越えるときの抵抗に比べて上方側の大きい円筒部を乗り越えるときの抵抗を大きくしている。抵抗とは、各円筒部を乗り越えるときの一対の弾性腕４６の撓み量で考えることができる。大きい円筒部を乗り越えるときは弾性腕４６が大きく撓むためばね圧が大きくなり抵抗が増し、小さい円筒部を乗り越えるときは弾性腕４６が大きい円筒部を乗り越えるときに比べて小さく撓むためばね圧が小さくなり抵抗が減少する。これにより、スライドノブ３３を図１６（ａ）に示すオフ位置から図１６（ｂ）に示すオン位置にスライド移動するときの抵抗（移動し難さ）に比べて、スライドノブ３３を図１６（ｂ）に示すオン位置から図１６（ｃ）に示すトリマー位置にスライド移動するときの抵抗（移動し難さ）は大きい。逆方向にスライド移動するときも同じで、スライドノブ３３を図１６（ｃ）に示すトリマー位置から図１６（ｂ）に示すオン位置にスライド移動するときの方が、図１６（ｂ）に示すオン位置から図１６（ａ）に示すオフ位置にスライド移動するときよりも抵抗（移動し難さ）は大きい。従って、スライドノブ３３がトリマー位置からオン位置へスライド移動しにくくなるため、トリマー作業中に不用意にトリマーユニット３が作動姿勢から待機姿勢に姿勢変更することがない。節度突起６０は、無端枠状のリブを前ケース１ａから突設して逆瓢箪形に形成しているので、単に棒状の突起で節度突起を形成する場合に比べて構造強度が向上している。
【００５５】
スライドノブ３３を図１６（ｃ）に示すトリマー位置から図１６（ｂ）に示すオン位置にスライド移動するときの方を、図１６（ｂ）に示すオン位置から図１６（ａ）に示すオフ位置にスライド移動するときよりも抵抗（移動し難さ）を大きくする手法として他に、トリマー位置における節度爪６６を受け止めている、節度突起６０の上側の円筒部の上周面の部分に平面部を形成するとともに、その平面部を下向きに傾斜させて傾斜角度を持たせ、一方、オン位置における節度爪６６を受け止めている、節度突起６０の上下の円筒部の間のくびれ部の下方周面部分に平面部を形成するとともに、その平面部を下向きに傾斜させて傾斜角度を持たせ、その傾斜角度をトリマー位置の傾斜角度より大きくしたような構成であっても実現できる。この場合、上下２つの円筒部の径は同じであってもよい。実施例では、上下２つの円筒体をオーバーラップして瓢箪形に形成しているが、必ずしもこれに限定されるものではなく、径の異なる独立した２つの円筒体を上下に並設した形態であってもよい。さらに、節度構造が、スライドノブ３３をオン位置からオフ位置にスライド移動するときよりも、トリマー位置からオン位置にスライド移動するときの方を移動し難くする手法として、トリマー位置における節度爪６６を受け止めている、節度突起６０の上側の円筒部の上周面の部分に、ゴムやエラストマー樹脂のような摩擦係数の大きい弾性部材（滑り止め部）を設け、一方、オン位置における節度爪６６を受け止めている、節度突起６０の上下の円筒部の間のくびれ部の下方周面部分は何も処理せずにプラスチック面をそのまま露呈しておくことも考えられる。これによって、トリマー位置における節度爪６６が滑り難くなることにより、スライドノブ３３がトリマー位置からオン位置へスライド移動しにくくなるため、トリマー作業中に不用意にトリマーユニット３が作動姿勢から待機姿勢に姿勢変更することがなくなる。この場合、上下２つの円筒部の径は同じであってもよい。
【００５６】
ロック構造は、背面カバー（背面構造体）３６の中途部に設けた左右一対の弾性ロック腕４５と、その下端背面側に設けたロック爪４９と、前ケース１ａの爪ガイド溝５８の下端背面に設けた鉤形凹部６７とで構成する（図９参照）。スライドノブ３３をオフ位置に戻した状態では、ロック爪４９が鉤形凹部６７と係合しているので、スライドノブ３３を押上げ操作しても同ノブ３３がスライドすることはない。スライドノブ３３をオン位置、あるいはトリマー位置までスライド移動させる場合には、解除ボタン４８を押込み操作して、弾性ロック腕４５を本体ケース１側へ弾性変形させ、ロック爪４９と鉤形凹部６７との係合を解除した状態で、スライドノブ３３を押上げ操作する。なお、スライドノブ３３をオン位置からオフ位置へ戻す場合には、ロック爪４９が弾性ロック腕４５を弾性変形させながら爪ガイド溝５８の下壁に乗上がって鉤形凹部６７に落込むので、解除ボタン４８を操作する必要はない。
【００５７】
スライドノブ３３の上下スライド動作を利用して、トリマーユニット３の姿勢を作動姿勢と待機姿勢に強制的に切換えるために、トリマーユニット３およびスライドノブ３３と本体ケース１の対向面に姿勢切換構造と姿勢復帰構造を設けている。図１において、姿勢切換構造は、トリマーユニット３に設けた受動片７０と、受動片７０の上下スライド軌跡に臨んで本体ケース１に設けた切換えカム体６２とで構成してあり、スライドノブ３３の上方スライド動作を利用してトリマーユニット３を待機姿勢から作動姿勢に切換える。姿勢復帰構造は、トリマーユニット３に設けた復帰受動片７１と、復帰受動片７１のスライド軌跡に臨んで本体ケース１に設けた復帰カム体６１とで構成してあり、スライドノブ３３の下方スライド動作を利用してトリマーユニット３を作動姿勢から待機姿勢に切換える。スライドノブ３３を本体ケース１に組付けた状態における受動片７０は、その先端が背面カバー（背面構造体）３６のスライド溝４４を介して前ケース１ａのガイド溝６３内に突出しており（図１４参照）、スライドノブ３３が上下にスライド操作される状態では、受動片７０の左右壁がガイド溝６３の溝側面でスライド案内される。従って、トリマーユニット３が作動姿勢から待機姿勢に回動する間に、受動片７０が左右方向へずれ動くのを確実に防止して、切換えカム体６２による受動片７０の回動操作を常に的確に行える。
【００５８】
先に説明したように、補強リブ２７はホルダー壁２６の背面両側に設けられてトリマーベース２３の構造強度を増強しており、図５に示すように受動片７０は、トリマーベース２３の右端の補強リブ２７の背面上部に配置されて後向きに突設してある。復帰受動片７１は、トリマーベース２３の左端の補強リブ２７の上部に配置されて、上向きに突設してある。このように、受動片７０および復帰受動片７１を補強リブ２７と一体に設けると、固定刃２１、可動刃２２、可動刃ホルダー２４、および押え枠２５をトリマーベース２３に組付ける際に、受動片７０や復帰受動片７１が組付けの邪魔になるのを解消できる。また、受動片７０や復帰受動片７１をトリマーベース２３のホルダー壁２６から直接突設する場合に比べて、補強リブ２７の分だけ受動片７０や復帰受動片７１の突出寸法を小さくして強度を向上できる。さらに、トリマーユニット３が格納部３４に収容されて待機姿勢になっているとき、受動片７０や復帰受動片７１が格納部３４の前開口から視認されるのを防止できる。
【００５９】
図１に示すように、スライドノブ３３がオン位置からトリマー位置まで押上げ操作されるとき、切換えカム体６２は、その下面および下隅にわたって設けたカム面７２で、受動片７０の突端上面の受動部７３を受止めて、受動片７０を揺動軸２８の周りに回動させ、トリマーユニット３の姿勢を切換える。カム面７２は、切換えカム体６２の下面に設けられる第１カム面７４と、第１カム面７４に連続して傾斜する第２カム面７５とで構成してある。
【００６０】
トリマーユニット３が待機姿勢から作動姿勢に切換わったとき、トリマーユニット３の作動姿勢を安定した状態で保持するために、切換えカム体６２の外周面に連続して本体側ストッパー７８を設け受動片７０の外周面に連続してトリマー側ストッパー７９を設けている。本体側ストッパー７８は、先の第２カム面７５の上側に隣接する垂直の前端面からなり、トリマー側ストッパー７９は、受動片７０の受動部７３に連続する水平の上端面からなる（図５参照）。図１に示すように、トリマーユニット３が作動姿勢に切換わった状態では、本体側ストッパー７８とトリマー側ストッパー７９とが面接触状に接当している。そのため、トリマーユニット３が作動姿勢を越えて回動することはなく、外力を受けたトリマーユニット３が下方回動して待機姿勢に戻ることもない。
【００６１】
図５において復帰受動片７１の背面側には、復帰カム体６１で切換え操作される垂直の受動部８２と、作動姿勢から待機姿勢に切換わったトリマーユニット３の姿勢を安定した状態で保持するトリマー側規制部８３とが連続して設けてある。また、トリマー側規制部８３に対応して、復帰カム体６１の外周面に連続して本体側規制部８４を設けている。図１３に示すように、トリマーユニット３が待機姿勢に切換わった状態では、本体側規制部８４とトリマー側規制部８３とが面接触状に接当するので、トリマーユニット３が揺動軸２８の周りに回動するのを確実に規制することができる。
【００６２】
先に説明したように、端子装着部４７は背面カバー（背面構造体）３６の下端一側に配置されて片持ち梁状に支持されている。そのため、スライドノブ３３を繰り返し上下スライドする際に、端子装着部４７がスイッチ端子５０の弾性力で押上げられて、端子装着部４７が回路基板７から徐々に離れ、スイッチ端子５０と固定端子５１とが接触不慮に陥るおそれがある。こうした接触不良を防いで、スイッチ端子５０と固定端子５１の接触状態を常に適正にするために、図１１に示すように、端子装着部４７と対向するノブ本体３５の内面に規制体８５を設け、その突端で端子装着部４７の前面を受止めている。上述したように本体ケース１のケース壁に、端子装着部４７を往復スライド可能に案内する端子ガイド溝５９が形成されている。端子装着部４７は、図１１に示すように、端子ガイド溝５９内に突出しており、また図１６（ａ）（ｂ）（ｃ）に示すように、端子装着部４７の左右側面が端子ガイド溝５９の左右側面に近接して位置している。これにより端子装着部４７の上下スライドが案内されている。また、端子ガイド溝５９の内面内方に配置した回路基板７に、端子装着部４７に固定したスイッチ端子５０でスイッチの接続状態が切換えられる固定端子５１が設けられている。このように、本体ケース１のケース壁に端子ガイド溝５９を設け、このガイド溝５９で端子装着部４７を往復スライド可能に案内すると、スライドノブ３３を上下にスライド操作するとき、端子装着部４７が左右方向へ揺れ動くのをガイド溝５９で規制できる。従って、端子装着部４７に固定したスイッチ端子５０と、端子ガイド溝５９の内面内方に配置した回路基板７上の固定端子５１との接触状態を常に適正なものとして、スイッチの切換え動作をさらに確実なものとすることができる。
【００６３】
次に、主にスライドノブ３３の上下スライド動作と、これに伴うトリマーユニット３の姿勢切換え動作について説明する。スライドノブ３３がオフ位置にあるとき、トリマーユニット３は図１４に示すように、格納部３４に収容されて待機姿勢になっている。このとき、受動片７０の突端は、切換えカム体６２の下側に設けたガイド溝６３の上下中途部に位置している。この状態からスライドノブ３３をオン位置まで上方スライド操作すると、トリマーユニット３がスライドノブ３３に同行して、図１４に想像線で示す位置まで上昇する。このときの受動片７０は切換えカム体６２と、僅かな隙間を介して対向している。また、トリマーユニット３とともに上昇スライドしたスイッチ端子５０が、回路基板７に設けられた上下の固定端子５１を導通してモーター４に駆動電流を供給するので、刃部２の内刃１０が往復駆動される。特許請求の範囲におけるモーター４は、リニア駆動を行うモーターを含む概念である。
【００６４】
トリマー作業を行うために、スライドノブ３３をオン位置からトリマー位置へと押上げ操作すると、まず受動片７０の受動部７３が切換えカム体６２の第１カム面７４で受止められ、受動片７０が揺動軸２８の周りに回動してトリマーユニット３をケース前方へ傾動させる。このとき、揺動軸２８から最も離れた受動片７０の突端寄りが第１カム面７４で受止められるので、トリマーユニット３が回動するときのモーメントアームを大きくすることができ、従って、トリマーユニット３を軽快に前方傾動させることができる。受動片７０が回動を開始したのちは、受動部７３は第１カム面７４と第２カム面７５の隣接隅部で受止められて徐々に回動量を増し、図１５（ａ）に示すように、トリマーユニット３の傾動角度が４５度に達した時点で、受動部７３が第２カム面７５に接当する。
【００６５】
以後は、受動部７３に連続するトリマー側ストッパー７９が、第２カム面７５と本体側ストッパー７８の隣接隅部で受止められて、トリマーユニット３の全体が作動姿勢へ向かって跳ねあげ傾動される。スライドノブ３３がトリマー位置まで押上げ操作された状態では、図１０に示すようにトリマーユニット３は、その切刃部が水平に突出する作動姿勢となって、トリマー側ストッパー７９が本体側ストッパー７８で受け止められる。従って、トリマーユニット３が作動姿勢を越えて過剰に回動操作されることはなく、また、下向きの外力が作用したとしても、トリマーユニット３が下向きに回動することはなく、トリマーユニット３を安定した状態で作動姿勢に保持し続けることができる。
【００６６】
上記のように、トリマーユニット３を作動姿勢に切換えた状態においては、図１０に示すようにスライドノブ３３が最上端のトリマー位置までスライド変位し、背面カバー（背面構造体）３６が駆動開口１８の前面を覆う。そのため、トリマー作業中に切断された毛屑が格納部３４内に入込むことがあったとしても、毛屑が駆動開口１８から本体ケース１の内部に入込むのをよく防止して、毛屑の進入に伴う衛生状態の悪化や、進入した毛屑が可動部分に付着して作動不良に陥るのを良く防止できる。また、駆動開口１８を介して本体ケース１の内部が視認されるのを良く防止して、使用状態における外観上の体裁を向上することができる。スライド変位する受動片７０の左右側面を、ガイド溝６３の溝側壁を利用してスライド案内し、受動片７０のスライド軌跡が左右に変動するのを規制するので、受動片７０を切換えカム体６２のカム面７２に適正に正対させて、トリマーユニット３の姿勢切換えを的確に行うことができる。
【００６７】
トリマー作業が終了したのち、スライドノブ３３をトリマー位置からオン位置側へ押下げ操作（下方スライド操作）すると、図１５（ｂ）に示すように、復帰受動片７１の受動部８２が復帰カム体６１に接当して、復帰受動片７１が揺動軸２８の周りに回動してトリマーユニット３を下向きに傾動させる。復帰受動片７１が回動を開始したのちの受動部８２は、復帰カム体６１と本体側規制部８４との隣接角部が受動部８２に接当して徐々に回動量を増す。以後は、スライドノブ３３がオン位置に達する間に、トリマーユニット３が揺動軸２８の周りに回動して、全体が格納部３４に収容される待機姿勢へ復帰する。この状態では、図１３に示すように、トリマー側規制部８３が本体側規制部８４で受止められるので、トリマーユニット３が待機姿勢を越えて過剰に回動操作されることはなく、また、上向きの外力が作用したとしても、トリマーユニット３が上向きに回動することはなく、トリマーユニット３を安定した状態で待機姿勢に保持し続けることができる。
【００６８】
以上のように、スライドノブ３３が上方スライドするとき受動片７０をカム面７２に接当させ、受動片７０を揺動軸２８の周りに回動させてトリマーユニット３の姿勢を作動姿勢に切換えるようにすると、リンクやレバーなどの中間伝動構造を使用する必要もなくトリマーユニット３の姿勢を確実に切換えることができる。また、トリマーユニット３の姿勢切換構造を著しく単純化してコストを削減できる。さらに、スライド動作を伝動するための中間伝動構造や連結構造を省略することができるので、落下衝撃などを受けて連結部分が分離する余地がなく、トリマーユニット３を常に円滑に起伏揺動できる、信頼性に優れた電気かみそりを提供できる。
【００６９】
本実施例の電気かみそりは以下の態様で実施することができる。
（態様１）
刃部２をその上部に有する本体ケース１の外面に、刃部２を駆動するモーター４への通電をオン・オフするスライドノブ３３が設けられており、
本体ケース１には、スライドノブ３３とトリマーユニット３とが設けられ、スライドノブ３３の移動に伴ってトリマーユニット３を作動姿勢に変更でき、
スライドノブ３３は、モーター４への通電をオフするオフ位置と、オフ位置より上側のモーター４への通電をオンするオン位置と、オン位置より上側のトリマーユニット３を作動姿勢とするトリマー位置とにスライド移動でき、
スライドノブ３３と本体ケース１との間には、スライドノブ３３をオフ位置、オン位置、トリマー位置のそれぞれの位置で位置保持させるための節度構造を有しており、
節度構造が、スライドノブ３３をオン位置からオフ位置にスライド移動するときよりも、トリマー位置からオン位置にスライド移動するときの方を移動し難く構成されていることを特徴とする電気かみそり。
この構成により、スライドノブ３３がトリマー位置からオン位置へスライド移動しにくくなるため、トリマー作業中に不用意にトリマーユニット３が作動姿勢から待機姿勢に姿勢変更することを防止できる。
（態様２）
刃部２をその上部に有する本体ケース１の外面に、刃部２を駆動するモーター４への通電をオン・オフするスライドノブ３３が設けられており、
本体ケース１には、スライドノブ３３とトリマーユニット３とが設けられ、
スライドノブ３３に、トリマーユニット３を備え、スライドノブ３３の移動に伴ってトリマーユニット３を作動姿勢に変更でき、
スライドノブ３３は、モーター４への通電をオフするオフ位置と、オフ位置より上側のモーター４への通電をオンするオン位置と、オン位置より上側のトリマーユニット３を作動姿勢とするトリマー位置とにスライド移動でき、
スライドノブ３３と本体ケース１との間には、スライドノブ３３をオフ位置、オン位置、トリマー位置のそれぞれの位置で位置保持させるための節度構造を有しており、
節度構造が、スライドノブ３３をオン位置からオフ位置にスライド移動するときよりも、トリマー位置からオン位置にスライド移動するときの方を移動し難く構成されていることを特徴とする電気かみそり。
この構成により、スライドノブ３３がトリマー位置からオン位置へスライド移動しにくくなるため、トリマー作業中に不用意にトリマーユニット３が作動姿勢から待機姿勢に姿勢変更することを防止できる。
（態様３）
刃部２をその上部に有する本体ケース１の外面に、刃部２を駆動するモーター４への通電をオン・オフするスライドノブ３３が設けられており、
本体ケース１には、スライドノブ３３とトリマーユニット３とが設けられ、
スライドノブ３３に、トリマーユニット３を備え、スライドノブ３３の移動に伴ってトリマーユニット３を作動姿勢に変更でき、
トリマーユニット３は揺動軸２８を介してスライドノブ３３と連結されて、その切刃部がスライドノブ３３の外面に突出する作動姿勢と、全体が本体ケース１の外面に沿って格納される待機姿勢との間で起伏揺動できるようスライドノブ３３で支持されており、
スライドノブ３３は、モーター４への通電をオフするオフ位置と、オフ位置より上側のモーター４への通電をオンするオン位置と、オン位置より上側のトリマーユニット３を作動姿勢とするトリマー位置とにスライド移動でき、
スライドノブ３３と本体ケース１との間には、スライドノブ３３をオフ位置、オン位置、トリマー位置のそれぞれの位置で位置保持させるための節度構造を有しており、
節度構造が、スライドノブ３３をオン位置からオフ位置にスライド移動するときよりも、トリマー位置からオン位置にスライド移動するときの方を移動し難く構成されていることを特徴とする電気かみそり。
この構成により、スライドノブ３３がトリマー位置からオン位置へスライド移動しにくくなるため、トリマー作業中に不用意にトリマーユニット３が作動姿勢から待機姿勢に姿勢変更することを防止できる。
（態様４）
刃部２をその上部に有する本体ケース１の外面に、刃部２を駆動するモーター４への通電をオン・オフするスライドノブ３３が設けられており、
本体ケース１には、スライドノブ３３とトリマーユニット３とが設けられ、
スライドノブ３３に、トリマーユニット３を備え、スライドノブ３３の移動に伴ってトリマーユニット３を作動姿勢に変更でき、
スライドノブ３３は、モーター４への通電をオフするオフ位置と、オフ位置より上側のモーター４への通電をオンするオン位置と、オン位置より上側のトリマーユニット３を作動姿勢とするトリマー位置とにスライド移動でき、
スライドノブ３３と本体ケース１との間には、スライドノブ３３をオフ位置、オン位置、トリマー位置のそれぞれの位置で位置保持させるための節度構造を有しており、
節度構造は、スライドノブ３３に設けた左右一対の弾性腕４６と、本体ケース１に設けた逆瓢箪形の節度突起６０とで構成してあり、
節度構造が、スライドノブ３３をオン位置からオフ位置にスライド移動するときよりも、トリマー位置からオン位置にスライド移動するときの方を移動し難く構成されていることを特徴とする電気かみそり。
この構成により、スライドノブ３３がトリマー位置からオン位置へスライド移動しにくくなるため、トリマー作業中に不用意にトリマーユニット３が作動姿勢から待機姿勢に姿勢変更することを防止できる。また、節度突起６０を逆瓢箪形に形成しているので、構造強度が向上する。
（態様５）
刃部２をその上部に有する本体ケース１の外面に、刃部２を駆動するモーター４への通電をオン・オフするスライドノブ３３が設けられており、
本体ケース１には、スライドノブ３３とトリマーユニット３とが設けられ、
スライドノブ３３に、トリマーユニット３を備え、スライドノブ３３の移動に伴ってトリマーユニット３を作動姿勢に変更でき、
トリマーユニット３は揺動軸２８を介してスライドノブ３３と連結されて、その切刃部がスライドノブ３３の外面に突出する作動姿勢と、トリマーユニット３の全体が本体ケース１の外面に沿って格納される待機姿勢との間で起伏揺動できるようスライドノブ３３で支持されており、
スライドノブ３３およびトリマーユニット３と本体ケース１の対向面に、トリマーユニット３の姿勢を作動姿勢に切換える姿勢切換構造が設けられており、
姿勢切換構造が、トリマーユニット３に設けた受動片７０と、受動片７０のスライド軌跡に臨んで本体ケース１に設けた切換えカム体６２を含み、
スライドノブ３３がスライド操作される状態において、スライド移動する受動片７０を切換えカム体６２で受止めることにより、受動片７０を揺動軸２８の回りに回動操作して、トリマーユニット３を待機姿勢から作動姿勢に切換えるよう構成されており、
スライドノブ３３は、モーター４への通電をオフするオフ位置と、オフ位置より上側のモーター４への通電をオンするオン位置と、オン位置より上側のトリマーユニット３を作動姿勢とするトリマー位置とにスライド移動でき、
スライドノブ３３と本体ケース１との間には、スライドノブ３３をオフ位置、オン位置、トリマー位置のそれぞれの位置で位置保持させるための節度構造を有しており、
節度構造は、スライドノブ３３に設けた左右一対の弾性腕４６と、本体ケース１に設けた逆瓢箪形の節度突起６０とで構成してあり、
節度構造が、スライドノブ３３をオン位置からオフ位置にスライド移動するときよりも、トリマー位置からオン位置にスライド移動するときの方を移動し難く構成されていることを特徴とする電気かみそり。
この構成により、スライドノブ３３がトリマー位置からオン位置へスライド移動しにくくなるため、トリマー作業中に不用意にトリマーユニット３が作動姿勢から待機姿勢に姿勢変更することを防止できる。また、節度突起６０を逆瓢箪形に形成しているので、節度突起６０の構造強度が向上する。
【００７０】
なお、上記態様１〜５に係る構成の先行技術として、実開昭５８−５５７６７号（特許文献１）、特開昭６３−２２９０８７号（特許文献２）がある。何れの先行技術も、スイッチ摘みが、スイッチのオフ位置と、スイッチのオン位置と、トリマーユニットを作動姿勢とするトリマー位置とにスライド移動でき、スイッチ摘みと本体ケースとの間には、スイッチ摘みをオフ位置、オン位置、トリマー位置のそれぞれの位置で位置保持させるための節度構造を有している。しかし、何れの先行技術もスライドノブをオン位置からオフ位置にスライド移動するときの移動し難さとトリマー位置からオン位置にスライド移動するときの移動し難さは同じであるのでトリマー作業中に不用意にトリマーユニットが作動姿勢から待機姿勢に姿勢変更する虞れがある。上記態様１〜５に係る構成の目的は、トリマー作業中に不用意にトリマーユニットが作動姿勢から待機姿勢に姿勢変更することを防止できる電気かみそりを提供することにある。
【００７１】
態様１の構成は、本実施例、上記特許文献１および上記特許文献２のスライドノブ、トリマーユニット、節度構造の形態を含む。さらに、トリマーユニットが本実施例のように回転突出する形態ではなく、スライドノブの上端に切刃部が上向きとなるように固定されており、スライドノブの移動に伴って切刃部が上向き姿勢のままトリマーユニット全体が移動する形態（トリマーユニット固定形態）も含んでいる。
態様２の構成は、本実施例の形態と上記トリマーユニット固定形態を含んでいる。
態様３の構成は、本実施例の形態を含んでいる。
態様４の構成は、本実施例の形態を含んでいる。
態様５の構成は、本実施例の形態を含んでいる。
【００７２】
図１７は切換えカム体６２の構造と受動片７０の構造を一部変更した別実施例を示している。そこでは、切換えカム体６２の下面にカム面７２を設け、切換えカム体６２の前面にカム面７２と直交する本体側ストッパー７８を設けて、上記の実施例における第２カム面７５を省略した。また、受動片７０を斜上方へ突設し、受動部７３の前側に隣接して逆三角形状の逃げ凹部９０を設けるようにした。逃げ凹部９０の斜辺同士が挟む角度は９０度とした。上記のように、切換えカム体６２をカム面７２と本体側ストッパー７８とで構成すると、受動部７３がカム面７２で僅かでも回動操作されると、以後は、受動片７０の上面がカム面７２と本体側ストッパー７８の隣接角部で受止められるため、トリマーユニット３が回動するときのモーメントアームが小さくなる。こうした不具合を避けるために、受動部７３の前側に隣接して逃げ凹部９０を設けて、トリマーユニット３が４５度回動するまでの間、受動部７３の前縁がカム面７２で受止められるようにしている。他は先の実施例と同じであるので、同じ部材に同じ符号を付してその説明を省略する。以下の実施例においても同じとする。
【００７３】
図１８は姿勢復帰構造の一部を変更した別の実施例を示している。そこでは、受動片７０と本体ケース１との間に復帰ばね９２を配置して、姿勢復帰構造とした。復帰ばね９２は引っ張りコイルばねで構成されており、その一端を本体ケース１側の固定連結部９３に掛止し、他端を受動部７３の突端寄りの可動連結部９４に掛止するようにした。固定連結部９３と可動連結部９４は、スライドノブ３３がオフ位置、オン位置、トリマー位置の各位置にあるときの、固定連結部９３と可動連結部９４との間の距離をＬ１、Ｌ２、Ｌ３とするとき、不等式（Ｌ２＜Ｌ１＜Ｌ３）を満足できる位置関係になるようにした。図１８（ａ）はスライドノブ３３がオフ位置にある状態を、図１８（ｂ）はスライドノブ３３がオン位置にある状態を、図１８（ｃ）はスライドノブ３３がトリマー位置にある状態を、それぞれ示している。
【００７４】
上記のように、固定連結部９３と可動連結部９４との間の距離を（Ｌ２＜Ｌ１＜Ｌ３）とすることにより、各位置における復帰ばね９２の張力を大小に変化させて、トリマーユニット３を復帰ばね９２の付勢力で揺動軸の周りに回動させて待機姿勢に戻すことができる。また、スライドノブ３３がオフ位置に位置している状態において、待機位置にあるトリマーユニット３を復帰ばね９２の付勢力で引っ張り付勢して、トリマーユニット３が揺動軸の周りに回動するのを、トリマー側規制部８３による回動規制作用と協同して規制できる。なお、スライドノブ３３がオン位置にある状態では、固定連結部９３と可動連結部９４との間の距離Ｌ２が最も小さいが、復帰ばね９２はこの状態でも小さなばね力を発揮して、トリマー側規制部８３を本体側規制体８４に密着させている。
【００７５】
上記の実施例では、受動片７０と復帰受動片７１を、トリマーベース２３の両側に配置したがその必要はなく、トリマーベース２３の背面側の任意の位置に配置することができる。とくに、トリマーベース２３の背面に、別途形成した蓋体を係合装着する場合には、蓋体の任意の位置に受動片７０と復帰受動片７１を設けることができる。揺動軸２８は、ノブ本体３５の側に設けることができ、その場合の軸受溝４０はトリマーベース２３の側に形成するとよい。カム面７２は、円弧面で形成することができ、あるいは複数の平面が連続する多数の角部を備えた平面で形成することができる。復帰ばね９２はねじリコイルばねや圧縮ばねなど、引っ張りコイルバネ以外のばねで形成してあってもよい。
【００７６】
スライドノブ３３は上下スライドする以外に、左右スライドする形態や、斜めにスライドする形態であってもよい。また、スライドノブ３３は、トリマーユニット３を待機姿勢と作動姿勢に切換える姿勢切換えノブを兼ねている必要はなく、単にモーター４の起動スイッチとして機能するものであってもよい。その場合には、トリマーユニット３の姿勢切換えノブをスライドノブ３３とは別に設けておくとよい。実施例では、内刃１０が往復動する電気かみそりについて説明してきたが、本発明を実施する場合、内刃１０が縦軸まわりに回転する回転式や横軸まわりに回転するロータリー式の電気かみそりであってもよい。また、刃部２は外刃１１を省いて内刃１０のみで構成することができる。さらに、刃部２は、櫛状の固定刃と櫛状の可動刃とを組み合わせた櫛状切断刃であってもよい。また、実施例では、前後ケース１ａ・１ｂを蓋合わせ状に接合して筒状の本体ケース１を構成したものであるが、成形時に一体で筒状の本体ケース１を構成したものであってもよく、さらに本体ケース１が２重構造のケースで構成されたものであってもよい。
【符号の説明】
【００７７】
１  本体ケース
２  刃部
３  トリマーユニット
４  モーター
２１  固定刃
２２  可動刃
２３  トリマーベース
２８  揺動軸
３３  スライドノブ
３４  格納部
３５  ノブ本体
３６  背面カバー（背面構造体）
４５  弾性ロック腕
４６  弾性腕
４７  端子装着部
４８  解除ボタン
５０  スイッチ端子
６１  復帰カム体
６２  切換えカム体
７０  受動片
７１  復帰受動片
７２  カム面
７３  受動部
【図１】
2015131003.tif 000003
【図２】
2015131003.tif 000004
【図３】
2015131003.tif 000005
【図４】
2015131003.tif 000006
【図５】
2015131003.tif 000007
【図６】
2015131003.tif 000008
【図７】
2015131003.tif 000009
【図８】
2015131003.tif 000010
【図９】
2015131003.tif 000011
【図１０】
2015131003.tif 000012
【図１１】
2015131003.tif 000013
【図１２】
2015131003.tif 000014
【図１３】
2015131003.tif 000015
【図１４】
2015131003.tif 000016
【図１５】
2015131003.tif 000017
【図１６】
2015131003.tif 000018
【図１７】
2015131003.tif 000019
【図１８】
2015131003.tif 000020